(57)【特許請求の範囲】
【請求項１】
複数の放電セルを含むプラズマディスプレイパネル（８００）に、ビデオ画像（８０１）を表示する方法であって、各セルは、各々が特定の継続時間を有する複数のサブスキャン（ＦＳＳ，ＳＳＳ）によって、照明時間の間に照明され、サブスキャンは２つの連続する時間グループ（ＦＧ，ＳＧ）に分割され、各セルに対する照明時間は、２つのグループ（ＦＧ，ＳＧ）の間で分割され、
各グループは、第１と第２のサブスキャン（ＦＳＳ，ＳＳＳ）を有し、第１のサブスキャン（ＦＳＳ）は各セル個別にアドレス指定し且つ第２のサブスキャン（ＳＳＳ）は少なくとも２つのセルのアドレス指定を同時に行い、
第１のグループ（ＦＧ）の全ての第１のサブスキャン（ＦＳＳ）の継続時間の和は、第２のグループ（ＳＧ）の全ての第１のサブスキャン（ＦＳＳ）の継続時間の和よりも大きく、且つ、第１のグループ（ＦＧ）の全ての第２のサブスキャン（ＳＳＳ）の継続時間の和は、第２のグループ（ＳＧ）の全ての第２のサブスキャン（ＳＳＳ）の継続時間の和よりも小さいことを特徴とする方法。
【請求項２】
各セルに対して、第１と第２のグループ（ＦＧ，ＳＧ）の間の照明時間の差は、第１と第２のグループ（ＦＧ，ＳＧ）に対する照明時間の間の全体の差が、しきい値以下になるように、第１と第２のサブスキャン（ＦＳＳ，ＳＳＳ）の間に対して補償されることを特徴とする、請求項１に記載の方法。
【請求項３】
しきい値は、１０に等しい照明重み以下であることを特徴とする、請求項２に記載の方法。
【請求項４】
第１のグループ（ＦＧ）の第１のサブスキャン（ＦＳＳ）は重み５、１０、２０及び４０を有し、第１のグループ（ＦＧ）の第２のサブスキャン（ＳＳＳ）は重み７、１４及び３０を有し、第２のグループ（ＳＧ）の第１のサブスキャン（ＦＳＳ）は重み１０、２０及び４０を有し、且つ、第２のグループ（ＳＧ）の第２のサブスキャン（ＳＳＳ）は重み１、２、４、８、１６及び２８を有することを特徴とする、請求項１乃至３のうちいずれか一項に記載の方法。
【請求項５】
第１のグループ（ＦＧ）の第１のサブスキャン（ＦＳＳ）は重み５、１０、２０及び４０を有し、第１のグループ（ＦＧ）の第２のサブスキャン（ＳＳＳ）は重み２、８、１６及び２４を有し、第２のグループ（ＳＧ）の第１のサブスキャン（ＦＳＳ）は重み１０、２０及び４０を有し、且つ、第２のグループ（ＳＧ）の第２のサブスキャン（ＳＳＳ）は重み１、４、８、１６及び２４を有することを特徴とする、請求項１或は２のうちいずれか一項に記載の方法。
【請求項６】
照明セルを有するプラズマディスプレイパネルであって、セルは、請求項１乃至５のうち何れか一項に記載の方法に従って照明されることを特徴とする、プラズマディスプレイパネル。
【発明の詳細な説明】
【０００１】
本発明は、プラズマディスプレイパネルをアドレスする方法に関連する。特に本発明は、別々のアドレッシングと維持の形式のパネルの、グレーレベルの符号化に関連する。
【０００２】
以後ＰＤＰと呼ぶプラズマディスプレイパネルは、平面形式の表示スクリーンである。２つの大きなＰＤＰのファミリー、即ち、ＤＣ形式の動作のＰＤＰと、ＡＣ形式の動作のＰＤＰがある。一般的には、ＰＤＰは、２つの絶縁タイル（又は、基板）を有し、各々が１つ又はそれ以上の電極の配列を有し且つ、それらの間のガスで満たされた空間を画定する。タイルは、前記配列の電極の間の交差点を画定するために、共に合体される。各電極の交差点は、ガス空間が対応する基本セルを画定し、このガス空間は、障壁により部分的に区画化され、そして、その中で、セルが活性化されたときに放電が発生する。放電は、基本セル内にＵＶ線の放射を発生し、そして、セルの壁に配置された蛍光体がＵＶ線を可視光に変換する。
【０００３】
ＡＣ形式のＰＤＰの場合には、２つの形式のセル構成があり、１つは、マトリクス構成と呼ばれ、他は同一平面構成と呼ばれる。これらの構造は異なるが、基本セルの動作は実質的には同一である。各セルは、点灯されるか又は”オン”状態にされ、又は、消灯されるか又は”オフ”にされる。セルは、維持パルスと呼ばれる、連続するパルスを送ることにより、これらの状態を維持することが望ましい継続時間を通して、これらの状態の一つに維持される。セルは、通常はアドレスパルスと呼ばれる大きなパルスを送ることにより、オンされ又は、アドレスされる。セルは、ダンプされた放電を使用することによりセル内の電荷をゼロにすることにより、オフ又は消去される。種々のグレーレベルを得るために、画像の表示期間をわたって、サブスキャン又はサブフレームを使用して、オンとオフの状態の継続時間を変調することにより、目の積分現象を使用する。
【０００４】
各基本セルの時間的な点灯変調を達成するために、２つのいわゆる”アドレッシングモード”が主に使用される。第１のアドレッシングモードは、”表示中のアドレッシング”と呼ばれ、他の行を維持しながら各行の接続されたをアドレッシングし、アドレッシングは行毎にシフトして発生する。第２のアドレッシングモードは、”アドレッシングと表示分離”と呼ばれ、３つの分離された期間中に、パネルの全てのセルの、アドレッシング、維持及び、消去より構成される。これらの２つのアドレッシングモードに関する更なる詳細に関しては、例えば、当業者は、米国特許番号５，４２０，６０２及び、５，４４６，３４４を参照する。
【０００５】
図１は、画像を表示するための”アドレッシングと表示分離”モードの基本的な時間分割を示す。画像の合計表示時間Ｔｔｏｔは、１６．６又は、２０ｍｓである。表示時間中に、セル当り２５６のグレーレベルを可能とするために、８のサブスキャンＳＢ１からＳＢ８が行われ、各サブスキャンは、値Ｔｏの倍数の照明時間Ｔｅｃの間、基本セルを”オン”又は、”オフ”にすることを可能とする。以後、照明重みｐを参照し、ここでｐはＴｅｃ＝ｐ．Ｔｏのような整数に対応する。サブスキャンの合計の継続時間は、消去時間Ｔｅｆ、アドレス時間Ｔａ及び、各サブスキャンに固有の照明時間Ｔｅｃを含む。アドレス時間Ｔａは、基本時間Ｔａｅのｎ倍に分解され、これは、１つの行のアドレッシングに対応する。最大グレーレベルに必要な照明時間Ｔｅｃの合計は、最大照明時間Ｔｍａｘに等しいので、次の式：Ｔｔｏｔ＝ｍ．（Ｔｅｆ＋ｎ．Ｔａｅ）＋Ｔｍａｘを得、ここでｍはサブスキャンの数を表す。図１は、照明時間の２値分解に対応する。この２値分割は、既に認識されている幾つかの問題を有する。
【０００６】
１つの問題は、グレーレベルが非常に近いがしかし照明時間は相互に関係がない、２つの近接領域から生じる輪郭である。最悪の場合には、図１の例では、レベル１２７と１２８の間の変化に対応する。これは、グレーレベル１２７が最初の７つのサブスキャンＳＢ１からＳＢ７に対応するが、レベル１２８は、第８番目のサブスキャンＳＢ８に対応するためである。近接して配置されたスクリーンの２つの領域は、レベル１２７と１２８を有し、同時には照明されない。画像が静止で且つ観測者の目がスクリーン上を移動しない場合には、（フリッカー効果が無視できるなら）時間積分が比較的良好に起こりそして、比較的視界グレーレベルを有する２つの領域は見られる。他方、２つの領域がスクリーン上を移動する場合には（又は、観測者の目が移動するときには）、積分時間スロットは、スクリーン領域を変化し、そして、１つの領域から他の領域へ幾つかの数のセルに対してシフトされる。レベル１２７の領域からレベル１２８の領域への、目の積分時間スロット内のこのシフトは、積分の効果を有し、セルは１フレームの期間をわたりオフであり、これは、暗い輪郭の領域が出現する結果となる。逆に、レベル１２８の領域からレベル１２７の領域への、目の積分時間スロットのシフトは、積分の効果を有し、セルは１フレームの期間をわたり最大に輝き、これは、明るい輪郭の領域が出現する結果となる（これは、暗い輪郭よりは知覚されづらい）。この現象は、ディスプレイが、３つ（赤、緑及び青）の基本セルからなる画素で動作するときには、輪郭化に色がついているので、目立つ。
【０００７】
輪郭の現象は、切り換えられた照明が全体的に異なる時間分割のグループに対応する、全てのレベル変化で発生する。高い重みの切り換えは、低い重みの切り換えよりも、それらの振幅のために、更に、不快に感じる。結果の効果は、切り換えられた重みとそれらの位置に依存して、大きな又は小さな程度に知覚され得る。従って、輪郭効果は、非常に離れたレベル（例えば、６３−１２８）でも発生し得るが、しかし、非常に目に見えるレベル（又は、色）の変化に対応するよりも、目にあまり衝撃がない。
【０００８】
（大領域フリッカーとして知られる）画像フリッカーの問題は、フレームの全体の表示時間が２０ｍｓであるときに発生する。画像フリッカーは、その照度が一定のままの、中程度の輝度の画像領域で、特に知覚される。この問題は本質的に、約５５Ｈｚで起こる、目の時間フィルタリング機能から生じる。
【０００９】
他の、更に一般的な問題は、アドレッシングモードを使用するプラズマディスプレイパネルの輝度である。図を明らかにするために、図１は正規化されておらずそして、アドレス時間の正確な比を与えない。実際には、１つのサブスキャンに対する、４８０行を含むパネルの完全なアドレッシングは、約１．２ｍｓ、即ち、周波数６０Ｈｚで表示される完全な画像の表示時間の約７％、で発生する。５０Ｈｚで動作し５２５行を有するするパネルの場合には、１つの完全なサブスキャンに対する、アドレッシングは、約１．３ｍｓ、即ち、画像の表示時間の約６．５％、で発生する。１つの画像に対する実際の表示時間は、従って、アドレス時間により、特に減少される。
【００１０】
これらの３つの問題に関して、これらの欠陥を最小化するための、種々の改善が知られている。
【００１１】
輪郭の問題を改善するために、幾つかの解決方法が適用される。主なアイデアは、高い重みの変化の視覚的効果を減少させるために、高い照明重みを分解することである。図２は、１０のサブスキャンが使用され、それにより、パネルの全体的な輝度の減少となる、解決方法を示す。最大の照明時間Ｔｍａｘは、全画像表示時間の約３０％であり、消去及びアドレス時間は約７０％である。
【００１２】
スクリーンの全体的な輝度を減少させることなく、サブスキャンの数を増加させるために、パネルの２つの行に共通なサブスキャンを使用し、それにより、実際の画像表示時間を減少することなくサブスキャンの合計数を増加することを可能とすることが知られている。欧州特許出願番号ＥＰ−Ａ−０９４５８４６は、多表示符号により、幾つかの行の組みを同時に走査することにより誤差を最小化するためのシステムを開示する。図３は、１４サブスキャンをわたる符号化の例を示し、その表示時間は、約１０サブスキャンに対応する。図３に示す例では、重み１，２，４，７，１３，１７，２５及び、３６のサブスキャンが、同時に２つの行に共通であり、重み５，１０，２０，３０，４０及び、４５のサブスキャンは各行に特定である。
【００１３】
サブスキャンの数を増加する他の解決方法は、コラム電極が中間でカットされているパネルを使用することよりなり、これにより、各々が減少された数の行を有する２つの半分のパネルを画定する。これは、アドレス時間が減少されるのを可能とし、２つの半パネルは互いに独立してアドレスされる。この解決方法は、パネルの全体的な明るさを増加することを可能とする。
【００１４】
スクリーンフリッカーの問題を改善するために、１つの改善は、約等価な重みを有する２つのグループにサブスキャンを分割することを使用する。図４は、各々が１０ｍｓの継続時間を有する２つのグループへの、画像の時間分割を示す。そのような時間分割は、輪郭の現象も最小化する。しかし、この形式の時間分割は、多くのサブスキャン（図４の場合には１４のサブスキャン）を必要とし、これは、２つの半分のパネルを使用することにより生じた全体的な輝度の利得を減少する。
【００１５】
スクリーンの輝度を増加させるために、２つのグループへの時間分割を２つの行の同時のアドレッシングと組み合わせることは明らかに見える。しかしながらそのような組合せは、同時に、
−各セルに対する照明時間も、サブスキャンの２つのグループにわたって分割されねばならず、
−２つのセルに共通な、サブスキャンに対応する（逆にサブスキャンに特定の）照明時間も、等しく分割されねばならないという、
種々のパラメータを満足しなければならない。
【００１６】
これらの２つのパラメータは厳しく考慮することはできない。しかしながら、できるかぎりそのようにするのが便宜である。現時点では、受け入れられる妥協に対応する解決方法はない。
【００１７】
本発明は、２つの行に共通なサブスキャンの技術を、２つのグループのサブスキャンに分割することと結びつける解決方法を提供する。
【００１８】
本発明の目的は、複数の放電セルを含むプラズマディスプレイパネルに、ビデオ画像を表示する方法であって、各セルは、各々が特定の継続時間を有する複数のサブスキャンによって、照明時間の間に照明され、サブスキャンは２つの連続する時間グループに分割され、各セルに対する照明時間は、２つのグループの間で分割され、各グループは、第１と第２のサブスキャンを有し、第１のサブスキャンは各セルに対して特定であり且つ第２のサブスキャンは少なくとも２つのセルに共通である方法である。
【００１９】
第１の実施例に従って、第１のグループの全ての第１のサブスキャンの継続時間の和は、第２のグループの全ての第１のサブスキャンの継続時間の和よりも大きく、且つ、第１のグループの全ての第２のサブスキャンの継続時間の和は、第２のグループの全ての第２のサブスキャンの継続時間の和よりも小さい。そのようなサブスキャンの分割は、そこで、サブスキャンの分割のために２つのグループの間の補償を可能とする。
【００２０】
第２の実施例に従って，各セルに対して、第１と第２のグループの間の照明時間の差は、第１と第２のグループに対する照明時間の間の全体の差が、しきい値以下になるように、第１と第２のサブスキャンの間に対して補償される。これは、第１のサブスキャン内の不均衡が第２のサブスキャンにより補償されるように、第１と第２のサブスキャンをわたって動的に分割される継続時間を含む。第２の実施例は、第１の実施例と独立であるが、しかし、それと組合せると優位である。
【００２１】
本発明は、照明セルを有するプラズマディスプレイパネルに関連し、且つ、セルは本発明の方法に従って照明される。
【００２２】
本発明は、添付の図面を参照して、以下の説明を読めば、更に明らかに理解され、そして、更なる特徴と優位点が明らかとなろう。
【００２３】
表現の理由から、サブスキャンの時間分割は、正確な線形スケールに対応しない意味のある比例を使用する。
【００２４】
図５は、本発明を実行する第１の好適な時間分割を示す。この時間分割は、各行に対して特定の第１のサブスキャンＦＳＳを有し、このサブスキャンは、スクリーンの各セルが個々にアドレスされることを可能とする。好適な実施例では、それぞれの照明重み５，１０，１０，２０，２０，４０及び４０が関連する、７つの第１のサブスキャンＦＳＳがある。そのような選択は、２５５グレーレベル上で１４５の最大差値を発生する。ビデオ画像の統計的な検討は、最大差値によるエラーの確率は、５％より小さいことを決定することを可能とする。
【００２５】
第２のサブスキャンＳＳＳは、２つの隣接ラインを同時にアドレスする。好適な例では、それぞれの照明重み１，２，４，８，８，１６，１６，２４，２４が関連する、８つの第２のサブスキャンＳＳＳがある。当業者は、高輝度レベルを亘る解像度の損失があることに注意し、符号化後の最大レベルは２５５でなく２４４である。しかしながら、高輝度レベル上のそのような差は、高レベル上に適切な圧縮が行われるならば、目に見えない。前に行われるガンマ補正中に、２５６の代わりに２４５レベルを渡って置き換えることも可能とする。
【００２６】
第１と第２のサブスキャンＦＳＳとＳＳＳは第１のグループＦＧと第２のグループＳＧに分割される。各グループに対する全体の期間（照明時間とアドレス時間）は、この例では、ほぼ同じであり、差は１％のオーダーである。更に、それらの照明重みは、等しく分割され、第１のグループＦＧは、照明重み５，８，１０，１６，２０，２４及び４０を有し、且つ、第２のグループは、照明重み１，２，４，８，１０，１６，２０，２４及び４０を有する。第１のサブスキャンＦＳＳと第２のサブスキャンＳＳＳの間の分割は、僅かに不均衡であるが、しかし、この不均衡は、第１のグループ内の第１のサブスキャンＦＳＳを選んで且つ、第２のグループＳＧ内の第２のサブスキャンＳＳＳを選んでなされる。本発明の方法は、符号化の最終結果が、ほとんど均衡な第１と第２のグループＦＧとＳＧに対応するように、それらを相互に補償するために、第１と第２のサブスキャンＦＳＳとＳＳＳの間の不均衡を使用する。
【００２７】
実行の第１の方法に従って、図５の符号化使用される。共通のアドレッシングを共有するグレーレベルは、既知の技術に従って、共通の部分と特定及の部分に分割される。グループ間の分割は、次のように行われる。
【００２８】
−第１のサブスキャンに対応する特定の部分は、２つの部分に分割され、分割結果が不均衡の場合には、不均衡は第１のグループの方を選んで行われる。
【００２９】
−第２のサブスキャンに対応する共通の部分は、２つの部分に分割され、分割結果が不均衡の場合には、不均衡は第２のグループの方を選んで行われ、２４に等しい重みは常に同時に活性化され又は不活性にされる。
【００３０】
第１のサブスキャンの分割は第１のグループの方を選んで１５の不均衡の結果となり、そして、第２のサブスキャンの分割は第２のグループの方を選んで１５の不均衡の結果となることに注意すべきである。しかしながら、分割のために、実際の不均衡は、可能な場合の１５％内のみで１０より大きく且つ、その場合の５３％で５より小さいか又は等しい。
【００３１】
実例として、例えば、出願ＥＰ−Ａ−０９４５８４６の、第５頁の３９行から、第６頁の３４行に開示されている、各グレーレベルに対して、共通の部分ＣＬと特定の部分ＳＬ１及びＳＬ２を有する２つのグレーレベルＧＬ１とＧＬ２を同時に符号化するために係数α＝５／１６を有する、符号化方法を使用する。
【００３２】
例１：ＧＬ１＝１００及びＧＬ２＝１２８
ＧＬ２−ＧＬ１＝２８
丸められた最小エラー差：Ｄ＝３０
符号化されるために補正された値：ＧＬ１＝９９及びＧＬ２＝１２９
ＳＬ２＝Ｄ＋αＧＬ１＝６０
ＳＬ１＝αＧＬ１＝３０
ＣＬ＝６９
従って、特定及び共通の値の以下の符号化：
ＳＬ２＝１０＋１０＋２０＋２０
ＳＬ１＝１０＋２０
ＣＬ＝１＋４＋８＋８＋２４＋２４
これは、符号化ＧＬ１とＧＬ２値を次にようにする：
ＧＬ１：８＋２０＋２４＝５２／１＋４＋８＋１０＋２４＝４７
ＧＬ２：８＋１０＋２０＋２４＝６２／１＋４＋８＋１０＋２０＋２４＝６７
例２：ＧＬ１＝６２及びＧＬ２＝１３６
ＧＬ２−ＧＬ１＝７４
丸められた最小エラー差：Ｄ＝７５
符号化されるために補正された値：ＧＬ１＝６１及びＧＬ２＝１３６
ＳＬ１＝αＧＬ１＝１５
ＳＬ２＝Ｄ＋αＧＬ１＝９０
ＣＬ＝４６
従って、特定及び共通の値の以下の符号化：
ＳＬ２＝１０＋４０＋４０
ＳＬ１＝５＋１０
ＣＬ＝２＋４＋８＋１６＋１６
これは、符号化ＧＬ１とＧＬ２値を次にようにする：
ＧＬ１：５＋１０＋１６＝３１／２＋４＋８＋１６＝３０
ＧＬ２：１０＋１６＋４０＝６６／２＋４＋８＋１６＋４０＝７０
上述の例は、両方とも、５より小さい第１と第２のグループの間の差を有する。残念ながら、前に示したように、この例は一方では解像度の制限を有し、そして、他方では１５の重みを有する可能性のある最大の不均衡を有する。
【００３３】
図６は、実行の方法が詳しく説明される他の好適な時間分割を示す。この時間分割は、各行に特定の第１のサブスキャンＦＳＳを有し、そのサブスキャンは、スクリーンの各セルが個々にアドレスされることを可能とする。好適な例では、それぞれの照明重み５，１０，１０，２０，２０，４０及び４０が関連する、７つの第１のサブスキャンＦＳＳがある。そのような選択は、２５６グレーレベル上の１４５の最大差を発生する。ビデオ画像の統計的な検討は、最大差値によるエラーの確率は、５％より小さいことを決定することを可能とする。
【００３４】
第２のサブスキャンＳＳＳは、２つの隣接するラインを同時にアドレスする。好適な例では、それぞれの重み１，２，４，７，８，１４，１６，２８，３０が関連する、８つの第２のサブスキャンＳＳＳがある。
【００３５】
第１と第２のサブスキャンＦＳＳとＳＳＳは第１のグループＦＧと第２のグループＳＧに分割される。各グループに対する全体の期間（照明時間とアドレス時間）は、ほぼ同じであり、この例では、差は０．５％のオーダーである。更に、照明重みは、等しく分割され、第１のグループＦＧは、照明重み５，７，１０，１４，２０，３０及び４０を有し、且つ、第２のグループは、照明重み１，２，４，８，１０，１６，２０，２８及び４０を有する。第１のサブスキャンＦＳＳと第２のサブスキャンＳＳＳの間の分割は、僅かに不均衡であるが、しかし、この不均衡は、第１のグループＦＧ内の第１のサブスキャンＦＳＳを選んで且つ、第２のグループＳＧ内の第２のサブスキャンＳＳＳを選んでなされる。本発明の方法は、符号化の最終結果が、ほとんど均衡な第１と第２のグループＦＧとＳＧに対応するように、それらを相互に補償するために、第１と第２のサブスキャンＦＳＳとＳＳＳの間の不均衡を使用する。
【００３６】
セルの各組に対するグレーレベルの符号化の方法を図７のアルゴリズムを用いて説明する。このアルゴリズムは、それそれ第１のセルと第２のセルに関連し前記セルは共通のサブスキャンを有する、既知のグレーレベルＧＬ１とＧＬ２で開始する。
【００３７】
第１のステップ１０１で、ＧＬ１とＧＬ２の間の差の絶対値が計算される。この差
【外１】
0004719395.tif 000002
は、エラーを最小化するために５に丸められ、丸められた差は以後Ｄと呼ばれる。
【００３８】
ステップ１０２では、レベルＧＬ１とＧＬ２に対応する値Ｖ１とＶ２が、それぞれ計算される。これらの値Ｖ１とＶ２は、一方では、差
【外２】
0004719395.tif 000003
に行われる丸めに従って、他方では、ＧＬ１とＧＬ２の最小及び最大値に従って、決定される。説明されるこの例では、差の丸め及び、Ｖ１とＶ２の修正は、以下のテーブルに従って行われる。
【００３９】
【表１】
0004719395.tif 000004
【００４０】
Ｖ１とＶ２の計算の後に、第１のテスト１０３が実行される。第１のテスト１０３は、丸められた差Ｄが、この好適な例では１４５に等しい、最大の差ＤＭＡＸよりも大きいか動かが検査される。ＤがＤＭＡＸよりも大きい場合には、第３のステップ１０４が実行され、そうでない場合には、第２のテスト１０５が実行される。
【００４１】
第２のテスト１０５は、丸められた差Ｄが２０の倍数であるかを検査する。実行を単純化するために、Ｄが４の倍数であるかどうかのみを試験することができる。Ｄが２０の倍数である場合には、第４のステップ１０６が実行され、そうでない場合には、第３のテスト１０７が実行される。
【００４２】
第３のテスト１０７は、丸められた差Ｄが１０の倍数であるかを検査する。実行を単純化するために、Ｄが２の倍数であるかどうかのみを試験することができる。Ｄが２の倍数である場合には、第５のステップ１０８が実行され、そうでない場合には、第４のテスト１０９が実行される。
【００４３】
第４のテスト１０９は、丸められた差足す５が、２０の倍数であるかを検査する。実行を単純化するために、Ｄの２つの低レートビットが両方ともに１に等しいかどうかのみを試験することで十分である。丸められた差足す５が、２０の倍数である場合には、第６のステップ１１０が実行され、そうでない場合には、第７のステップ１１１が実行される。
【００４４】
実際には、第１から第４のテスト１０３，１０５，１０７及び、１０９は、当業者により選択された技術に従って、連続して又は同時に実行されても良い。同様に、第３から第７ステップ１０４，１０６，１０８，１１０及び、１１１は、第１から第４のテスト１０３，１０５，１０７及び、１０９の結果に従って条件的に実行され又は、同時に実行され、テストの結果が、実行後のステップの１つの結果を短に選択するように動作する。
【００４５】
第３から第７ステップ１０４，１０６，１０８，１１０及び、１１１は、第１と第２のグループＦＧとＳＧ上の丸められた差Ｄを分割するのに使用される。この例では、可能な最小の不均衡を有するように、丸められた差は分割される。以後、表記Ｄ１は、第１のグループＦＧ内に配置された丸められた差Ｄの部分に対応し、表記Ｄ２は、第２のグループＳＧ内に配置された丸められた差Ｄの部分に対応する。
【００４６】
第３のステップ１０４は、最大値Ｄ１ＭＡＸとＤ２ＭＡＸをＤ１とＤ２に割当て、この例ではＤ１＝Ｄ１ＭＡＸ＝７５及び、Ｄ２＝Ｄ２ＭＡＸ＝７０である。第３のステップ１０４の後に、Ｖ２＋ＤＭＡＸに等しくなるように、８番目のステップ１１２はＶ１を再計算する。第３のステップ１０４と第８のステップ１１２はどのような順序でも実行され得ることは、当業者は容易く理解できるであろう。
【００４７】
第４のステップ１０６は、第１と第２のグループＦＧとＳＧの間で等しく差Ｄを分割するように動作し、これによりＤ１＝Ｄ２＝Ｄ／２である。
【００４８】
第５のステップ１０８は、差Ｄを、第１と第２のグループＦＧとＳＧの間で、第１のグループＦＧのほうを選んで、１０の不均衡で分割する。この第５のステップ１０８の後に、Ｄ１＝（Ｄ／２）＋５及び、Ｄ２＝（Ｄ／２）−５である。
【００４９】
第６のステップ１１０は、差Ｄを、第１と第２のグループＦＧとＳＧの間で、第２のグループＳＧのほうを選んで、５の不均衡で分割する。この第６のステップ１１０の後に、Ｄ１＝（Ｄ−５）／２及び、Ｄ２＝Ｄ１＋５である。
【００５０】
第７のステップ１１１は、差Ｄを、第１と第２のグループＦＧとＳＧの間で、第１のグループＦＧのほうを選んで、５の不均衡で分割する。この第５のステップ１０８の後に、Ｄ１＝（Ｄ＋５）／２及び、Ｄ２＝Ｄ１−５である。
【００５１】
第１から第４のテスト１０３，１０５，１０７及び、１０９の結果に従って、第９のステップ１１３は、第４から第８ステップ１０６，１０８，１１０，１１１及び、１１２の１つの後に、実行される。第９のステップ１１３は、部分Ｄ１とＤ２の丸められた差Ｄの分割による不均衡を最も良く補償するために、第１のグループＦＧに対応するどの共通の値Ｃ１が決定されねばならないかを決定するように動作する。第１のグループは全ての値を符号化することを可能とはしないので、実際の符号化中に補正される、Ｃ１の最適値を計算する必要がある。Ｃ１の最適値は、好適な例の低い整数に丸められる、（（Ｖ１＋Ｖ２）／２−Ｄ１）／２動作の結果に対応する。
【００５２】
第９ステップ１１３の次は、第１のグループＦＧのサブスキャンを亘るＣ１とＣ１＋Ｄ１値を符号化する第１０ステップ１１４である。この第９ステップ１１４中に、Ｃ１の値も精製される。１つの方法はＣ１の最適値に対して、Ｃ１とＣ１＋Ｄ１の全ての可能な符号化を決定することよりなる。Ｃ１の最適値で符号化できない場合には、動作する少なくとも１つの符号化が得られるまで、Ｃ１±１及びそしてＣ１±２に対応する値で符号化しようとする。種々の可能な符号化が比較された後に、Ｃ１の最終値が、例えば、最大数のサブスキャン上の符号化に対応する値として、決定される。Ｃ２の計算は、減算：Ｃ２＝Ｖ１−（Ｃ１＋Ｄ）により非常に簡単に実行される。当業者は、共通部分と差の間の不均衡は、Ｃ２の計算中に補償されることに、注意する。この第１０ステップ１１４は、それぞれ、最高のグレーレベルに特定の第１のサブスキャンＦＳＳの符号化に、最低のグレーレベルに特定の第１のサブスキャンＦＳＳの符号化にそして、２つのグレーレベルに共通な第２のサブスキャンＳＳＳの符号化に対応する、これらの３つのワードＳＭ１、Ｓｍ１及び、ＣＯＭ１を、第１のグループＦＧに対して、送る。３つのワードＳＭ１、Ｓｍ１及び、ＣＯＭ１は、選択されたＣ１の値に対応する。
【００５３】
第２のグループＳＧのサブスキャン上でＣ２及びＣ２＋Ｄ２値を符号化するための第１１１ステップ１１５が、そして、実行される。当業者は、この符号化を実行するのに既知の技術を適用しても良く又は、図８を参照して以下に説明するアルゴリズムを使用してもよい。
【００５４】
最後に、第１２ステップ１１６は、符号化された値に関して、フォーマッティング動作を実行する。このフォーマッティングは、符号化された値を、最も高いグレーレベルに従って、グレーレベルに対応するように動作する。
【００５５】
符号化アルゴリズムを、図８を参照して説明する。説明されるアルゴリズムは、第１１ステップ１５５に適用される。第１３ステップ２０１は、Ｄ２＋Ｃ２値を符号化する。実行される符号化は、第２のグループＳＧの全てのサブスキャンＦＳＳとＳＳＳ上でＤ２＋Ｄ２値の符号化よりなり、低照明重みに対応するサブスキャンへの先行を与える。符号化後に、９ビットワードが得られ、ワードは、第２のグループＳＧの第１のサブスキャンＦＳＳの活性化に対応する第１のワードＳＰＥＭＡＸと、第２のグループＳＧの第２のサブスキャンＳＳＳの活性化に対応する第２のワードＣＯＭＭＡＸに分割できる。
【００５６】
第１４ステップ２０２は、Ｄ２とＣ２値を別々に符号化する。Ｄ２は、第２のグループＳＧの第１のサブスキャンＦＳＳの活性化に対応する、第３のワードＳＰＥＭＩＮとして符号化される。Ｃ２は、第２のグループＳＧの第２のサブスキャンＳＳＳの活性化に対応する、第４のワードＣＯＭＭＩＮとして符号化される。
【００５７】
第１４ステップ２０２の後に、テスト２０３が実行される。テスト２０３は、第２のグループの部分Ｄ２が、第１のワードＳＰＥＭＡＸに対応する値よりも大きいかどうかをチェックする。Ｄ２がＳＰＥＭＡＸの値よりも大きい場合には、第１５ステップ２０４が実行され、そうでない場合には、第１６ステップ２０５が実行される。
【００５８】
第１５と第１６ステップ２０４と２０５は、第２のグループＳＧに対して、それぞれ、最高のグレーレベルに特定の第１のサブスキャンＦＳＳの符号化に、最低のグレーレベルに特定の第１のサブスキャンＦＳＳの符号化にそして、２つのグレーレベルに共通な第２のサブスキャンＳＳＳの符号化に対応する、３つのワードＳＭ２、Ｓｍ２及び、ＣＯＭ２を決定するステップを、割当てている。
【００５９】
第１５ステップ２０４は、ワードＳＰＥＭＩＮをワードＳｍ２に、ゼロワードをワードＳｍ２に、そして、ワードＣＯＭＭＩＮをワードＣＯＭ２に割当てる。
【００６０】
第１６ステップ２０５は、ワードＳＰＥＭＡＸをワードＳｍ２に、ＳＰＥＭＡＸとＤ２値の間の差に等価なワード、及び、ワードＣＯＭＭＡＸをワードＣＯＭ２に割当てる。
【００６１】
図９は、第１２ステップ１１６の実行の概略を示す。最も高いグレーレベルテストに依存して、ワードＳＭｉとＳｍｉはグレーレベルＧＬ１か又は、グレーレベルＧＬ２の何れかに割当てられる。
【００６２】
図７から９のアルゴリズムから構成されるアルゴリズムは、その第２のサブスキャンＳＳＳが共通のセルの各組みに対して繰り返される。
【００６３】
本発明の主題を構成する方法の動作を更に明らかに理解させるために、幾つかの応用例を説明する。より明確なために、サブスキャンの符号化に対応する種々のワードは、値の和の形式で表され、各値は、前記値の関連するサブスキャンの活性化に対応する。
【００６４】
第１の例：ＧＬ＝１３０、ＧＬ２＝１２４
【外３】
0004719395.tif 000005
＝６＝＞Ｄ＝５、Ｖ１＝１３０及び、Ｖ２＝１２５
Ｄ１＝５及び、Ｄ２＝０
最適値Ｃ１＝６１
第１のグループ上でのＣ１とＤ１＋Ｃ１の可能な符号化：
６１＝７＋１０＋１４＋３０／６６＝５＋７＋１０＋１４＋３０
６１＝７＋１４＋４０／６６＝５＋７＋１４＋４０。
第１の場合が保存されそして以下が得られる：
ＳＭ１＝５＋１０；Ｓｍ１＝１０；ＣＯＭ１＝７＋１４＋３０及び、Ｃ２＝６４。
第２のグループ上でのＣ２とＤ２＋Ｃ２の可能な符号化：
Ｄ２＋Ｃ２＝６１＝１＋２＋４＋８＋１０＋１６＋２０
ＳＰＥＭＡＸ＝１０＋２０＞Ｄ２
ＣＯＭＭＡＸ＝１＋２＋４＋８＋１６
ＣＯＭＭＩＮは符号化されない。
ＳＭ２＝Ｓｍ２＝１０＋２０
ＣＯＭ２＝１＋２＋４＋８＋１６．
ＧＬ１がＧＬ２よりも大きい場合には：
Ｓ１１＝ＳＭ１；Ｓ１２＝ＳＭ２；Ｓ２１＝Ｓｍ１；Ｓ２２＝Ｓｍ２
Ｃｏｄｅ（ＧＬ１）＝５＋７＋１０＋１４＋３０＝６６／１＋２＋４＋８＋１０＋１６＋２０＝６４
Ｃｏｄｅ（ＧＬ２）＝７＋１０＋１４＋３０＝６１／１＋２＋４＋８＋１０＋１６＋２０＝６４。
【００６５】
第２の例：ＧＬ＝６２、ＧＬ２＝１３０
【外４】
0004719395.tif 000006
＝６８＝＞Ｄ＝７０、Ｖ１＝１３１及び、Ｖ２＝６１
Ｄ１＝４０及び、Ｄ２＝３０
最適値Ｃ１＝２８
第１のグループ上でのＣ１とＤ１＋Ｃ１の可能な符号化：
２８と６８は符号化可能ではない。
２９＝５＋１０＋１４／６９＝５＋１０＋１４＋４０
２７＝７＋２０／６７＝７＋２０＋４０。
Ｃ１＝２７が保存されル場合、そして：
ＳＭ１＝５＋１０＋４０；Ｓｍ１＝５＋１０；ＣＯＭ１＝１４及び、Ｃ２＝３２．
第２のグループ上でのＣ２とＤ２＋Ｃ２の可能な符号化：
Ｄ２＋Ｃ２＝６２＝８＋１０＋１６＋２８
ＳＰＥＭＡＸ＝１０＜Ｄ２
ＣＯＭＭＡＸ＝８＋１６＋２８
ＳＰＥＭＩＮ＝１０＋２０
ＣＯＭＭＩＮ＝４＋２８
ＳＭ２＝ＳＰＥＭＩＮ＝１０＋２０；Ｓｍ２＝０
ＣＯＭ２＝ＣＯＭＭＩＮ＝４＋２８。
ＧＬ１がＧＬ２よりも小さいので：
Ｓ１１＝Ｓｍ１；Ｓ１２＝Ｓｍ２；Ｓ２１＝ＳＭ１；Ｓ２２＝ＳＭ２
Ｃｏｄｅ（ＧＬ１）＝５＋１０＋１４＝２９／４＋２８＝３２
Ｃｏｄｅ（ＧＬ２）＝５＋１０＋１４＋４０＝６９／４＋１０＋２０＋２８＝６２。
【００６６】
これらの２つの例では、当業者は、グレーレベルＧＬ１とＧＬ２の種々の組みは、常に同質の方法で全体的に分散されていることがわかる。しかしながら、第１のサブスキャンの間（及び、第２のサブスキャンの間）の不均衡は、先行する例の間でよりも符号化中に大きく、そして、グループ間の最終不均衡に独立である。統計的な検討は、場合の８５％（合計で６５，５３６の場合）で、２つのグループの間の重みの差は、５を越えない。更に加えて、２つのグループ間の重みの差が１０を超える場合はない。
【００６７】
もちろん、当業者は、グレーレベルの差が大きすぎる場合に対して、解像度の損失があることは、知っている。この欠陥２つのセルをアドレスするための同じ行の共通の使用から生じ、そして、本発明のでは補正されない。
【００６８】
本発明の好適な実施例を図１０から１５を参照して説明する。図１０は、図７から９に対応するアルゴリズムに従ってグレーレベルＧＬ１とＧＬ２を符号化するのに使用される、本発明に従った符号化装置３００を示す。プラズマディスプレイパネルは、必要とされる計算の種類と前記パネル内に存在するセルの数に依存してこの種の１つ又はそれ以上の装置を有する。
【００６９】
符号化装置３００は、同じ第２のサブスキャンＳＳＳを共有する２つのセルに対応するグレーレベルＧＬ１とＧＬ２を受信するための、例えば、８ビットバスの、第１と第２の入力バスを有する。グレーレベルＧＬ１とＧＬ２は、全ての画像を含む画像メモリから又は、ビデオ信号を復号し且つそれを各セルのグレーレベルに変換する復号装置からのいずれかから来る。符号化装置３００は、それぞれ、第１と第２のグループＦＧとＳＧの第２のサブスキャンＳＳＳに対する、第１のグレーレベルＧＬ１に関連する第１と第２のグループＦＧとＳＧの第１のサブスキャンＦＳＳに対する、そして、第２のグレーレベルＧＬ２に関連する第１と第２のグループＦＧとＳＧの第１のサブスキャンＦＳＳに対する、オン又はオフ符号に対応する、ワードＣＯＭ１、ＣＯＭ２、Ｓ１１，Ｓ１２，Ｓ２１及び、Ｓ２２を送る６つの出力バスを有する。
【００７０】
符号化装置３００は、符号化される２つのグレーレベルＧＬ１とＧＬ２を受信し且つ、ＧＬ１とＧＬ２の間の差の絶対値を、第１の出力上に送る、差分回路３０１を有する。更に加えて、前記差分回路３０１の第２の出力には情報ビットＳｅｌＣが、どのグレーレベルＧＬ１又はＧＬ２が、他よりも大きいと考えられるかを示す。
【００７１】
差分回路３０１は、例えば、図１１に示されるように構成される。第１及び第２の減算回路４０１と４０２は、グレーレベルＧＬ１とＧＬ２を、対抗する入力に受信し、それにより、第１の減算回路４０１は、結果出力に差ＧＬ１−ＧＬ２を送り、そして、第２の減算回路４０２は、結果出力に差ＧＬ２−ＧＬ１を送る。
【００７２】
第２の減算回路も、減算結果が正か又は負かを知ることを可能とし、そして、従って、情報ビットＳｅｌＣを送る、オーバーフロー出力（保持出力としても知られる）を有する。マルチプレクサ４０３は、選択入力に情報ビットＳｅｌＣを受信し、それぞれ第１と第２の減算回路４０１と４０２の結果出力に接続された第１と第２の入力を有する。マルチプレクサプレクサ４０３は、情報ビットＳｅｌＣに従って、正の結果を選択し、それによって、マルチプレクサ４０３の出力は、回路３０１の差の出力に対応する。
【００７３】
符号化装置３００は、差
【外５】
0004719395.tif 000007
の絶対値を、使用されるサブスキャンにより固定された最大差値ＤＭＡＸをと比較する、比較回路３０２をも含む。比較回路３０２は、第１のテスト１０３の結果に対応する選択信号ＳｅｌＡを送る。当業者は、最終結果が丸めの前後で等価のまま残るようにこの比較を行うために、５に丸めることを必要としないことに注意する。
【００７４】
丸め回路３０３は、それを５に丸めるために、差
【外６】
0004719395.tif 000008
の絶対値を受信する。第１の出力は、丸められた差Ｄをを送りそして、第２の出力は、丸め制御バスを送る。丸め制御バスは、どの余にＶ１とＶ２が修正されねばならないかを示す。丸め回路３０３は、ルックアップテーブルにより作られ、その出力ビットの一部分は、丸められた差Ｄに対応しそして、出力ビットの他の部分は制御コードに対応する。当業者は、差分回路３０１と丸め回路３０３の間の協同作用は、第１のステップ１０１の機能を実行することに注意する。
【００７５】
第１の計算回路３０４は、グレーレベルＧＬ１とＧＬ２を受信し、そして、符号化に使用される値Ｖ１とＶ２を送る。この目的に、第１の計算回路３０４は、最も高いレベルＧＬ１又はＧＬ２を値Ｖ１に対応させ、最も低いレベルＧＬ１を値Ｖ２に対応させるために、情報ビットＳｅｌＣを受信する。必要であれば、Ｖ１及び／又はＶ２の１ユニットの加算又は減算を実行するために、第１の計算回路３０４も、丸め回路３０３から来る制御バスを受信する。
【００７６】
第２の計算回路３０５は、丸め回路３０３から来る丸められた差Ｄと選択信号ＳｅｌＡを受信し、これらは、差部分Ｄ１とＤ２を送るのに使用される。第２の計算回路３０５は優位に、ステップ１０４，１０６，１０８，１１０及び、１１を実行する。この目的のために、第２の回路３０５は、図１２を用いて、更に詳細に説明する。
【００７７】
第２の計算回路３０５は、第１と第２のマルチプレクサ５０１と５０２を有する。第１と第２のマルチプレクサ５０１と５０２の各々は、一方では、選択信号ＳｅｌＡに従って、他方では丸められた差Ｄの２つの低重みビットＤ[１：０]に従って切り換えられる、１つの出力バスと５つの入力バスを有する。第１と第２のマルチプレクサ５０１と５０２は、第１から第４のテスト１０３，１０５，１０７及び１０９の結果に従って、それぞれ第１と第２の差部分Ｄ１とＤ２を選択する。当業者は、丸められた差Ｄの２つの低重みビットＤ[１：０]に基づいて第２から第３のテスト１０５，１０７及び１０９は、同時に実行されることに、注意する。
【００７８】
選択信号ＳｅｌＡが、差Ｄが最大差ＤＭＡＸよりも大きいことを示す場合には、第１と第２のマルチプレクサ５０１と５０２は、その出力バスを、それぞれＤ１ＭＡＸとＤ２ＭＡＸ値を受けるそれらの第１の入力に接続し、それにより、Ｄ１＝Ｄ１ＭＡＸ及び、Ｄ２＝Ｄ２ＭＡＸである。選択信号ＳｅｌＡが、差Ｄが最大差ＤＭＡＸよりも小さいか又は、等しいことを示す場合には、第１と第２のマルチプレクサ５０１と５０２は、丸められた差Ｄの２つの低重みビットＤ[１：０]に従って、その出力バスをそれらの第２から第５の入力に接続する。
【００７９】
第１の除算回路５０３は入力から値Ｄを受信しそして、値Ｄ／２を出力に送る。第１の除算回路５０３の出力は、第１と第２のマルチプレクサ５０１と５０２の第２の入力に接続され、それにより、丸められた差Ｄの２つの低重みビットＤ[１：０]は、値００に等しく（Ｄは４の倍数）、そしてＤ１＝Ｄ２＝２／Ｄである。
【００８０】
第１の加算回路５０４は、第１と第２の入力及び、１つの出力を有し、第１の入力は第１の除算回路５０３の出力に接続され、第２の入力は値５を受信し、それによって、出力は値（Ｄ／２）＋５を送る。第１の加算回路５０４の出力は、第１のマルチプレクサ５０１の第３の出力に接続され、それにより、丸められた差Ｄの２つの低重みビットＤ[１：０]は、値１０に等しく（Ｄは２の倍数）、そして、Ｄ１＝（Ｄ／２）＋５である。第１の減算回路５０４は、第１及び第２の入力と１つの出力を有し、第１の入力は第１の除算回路５０３の出力に接続され、第２の入力は５を受信し、それにより、出力波値（Ｄ／２）−５を送る。第１の減算回路５０５の出力は、第２のマルチプレクサ５０２の第３の出力に接続され、それにより、丸められた差Ｄの２つの低重みビットＤ[１：０]は、値１０に等しく（Ｄは２の倍数）、そして、Ｄ２＝（Ｄ／２）−５である。
【００８１】
第２の計算回路３０５も、１つの入力と１つの出力を有し、出力は、２で除算された入力の値を送る、第２と第３の除算回路５０６と５０７を有する。第２の減算回路５０８は、２つの入力と１つの出力を有し、値Ｄを１つの入力に受信し、値５を他の入力に受信し、それによって、出力はＤ−５に等しい値を送る。第２の減算回路５０８の出力は、第２の除算回路５０６の入力に接続され、それによって、第２の除算回路５０６の出力は値（Ｄ−５）／２を送る。第２の除算回路５０６の出力は、一方では第１のマルチプレクサ５０１の第４の入力に、そして、他方では、第２のマルチプレクサ５０２の第５の入力に接続され、それにより、一方では、丸められた差Ｄの２つの低重みビットＤ[１：０]が１１に等しい場合には（Ｄ＋５は２０の倍数）、Ｄ１＝（Ｄ−５）／２であり、そして、他方では、丸められた差Ｄの２つの低重みビットＤ[１：０]が０１に等しい場合には（Ｄ＋５は２０の倍数でない）、Ｄ２＝（Ｄ−５）／２である。
【００８２】
第２の加算回路５０９は、２つの入力と１つの出力を有し、値Ｄを１つの入力に、そして、値５を他の入力に受け、それにより、出力は、Ｄ＋５に等しい値を送る。第２の加算回路５０９の出力は、第３の除算回路５０７の入力に接続され、それにより、第３の除算回路５０７の出力は値（Ｄ＋５）／２を送る。第３の除算回路５０７の出力は、一方では、第１のマルチプレクサ５０１の第５の入力に、そして、他方では、第２のマルチプレクサ５０２の第４の入力に、接続され、それにより、一方では、丸められた差Ｄの２つの低重みビットＤ[１：０]が値０１に等しい場合には（Ｄ＋５は２０の倍数でない）、Ｄ１＝（Ｄ＋５）／２であり、そして、他方では、丸められた差Ｄの２つの低重みビットＤ[１：０]が値１１に等しい場合には（Ｄ＋５は２０の倍数）、Ｄ２＝（Ｄ＋５）／２である。
【００８３】
当業者は、除算回路５０３、５０６及び、５０７は、全てが、入力値を１ビットだけシフトする、即ち、バス接続をシフトする、ダミー回路であることに注意する。当業者は、動作が値５に制限されているので、単純化された加算回路５０４と５０９及び、減算回路５０５と５０８を製造し得る。
【００８４】
符号化装置３００も、第１の計算回路３０４からの値Ｖ１とＶ２を受信し且つ、比較回路３０２からの選択信号ＳｅｌＡを受信し且つ、第８のステップ１１２で示されるようにおそらく訂正された値Ｖ１を送る、補正回路３０６を有する。補正回路３０６は、図１３に示されており、マルチプレクサ６０１と加算回路６０２を有する。加算回路６０２は、値Ｖ２を値ＤＭＡＸへ加算する。マルチプレクサ６０１は、Ｖ１の新たな値が、第１の計算回路３０４内で計算された値Ｖ１又は、Ｖ２＋ＤＭＡＸに等しい訂正された値、に等しい場合には、選択信号ＳｅｌＡに従って、選択する。
【００８５】
第３の計算回路３０７は、第９ステップ１１３で詳細に示されている、値Ｃ１を計算する。第３の計算回路３０７は、値Ｄ１、Ｖ１及び、Ｖ２を受信し、そして、値Ｃ１＝（（（Ｖ１＋Ｖ２）／２）−Ｄ１）／２を送る。当業者は、例えば、図１４に示された形式の回路を使用する。
【００８６】
符号化装置３００は、値Ｃ１とＤ１を受信し、そして、一方では３つの符号化ワードＳＭ１、Ｓｍ１及び、ＣＯＭ１を、そして、他方では補正情報ＳｅｌＢを送る、第１の符号化回路３０８を有する。使用される符号化方法は、第１０ステップ１１４で説明したものと対応する。実際の理由から、予め計算された結果をすでに有するルックアップテーブルが使用される。ルックアップテーブルは、例えば、４ビットはＳＭ１に対応し、４ビットはＳｍ１に対応し、３ビットはＣＯＭ１に対応し、３ビットはＳｅｌＢに対応する、１４ビットワードに構成されたメモリよりなる。このメモリは、７ビットは値Ｃ１に対して、そして５ビットは値Ｄ１に対する、１２のアドレスラインより構成される。実行される符号化に不要な冗長度を与える値Ｄ１の２つの低重みを使用しないように注意する。メモリは、Ｃ１とＤ１により定義されるアドレスで、種々の値Ｃ１とＤ１の構成に従って、得られるべきワードがロードされる。随意に、当業者は、異なって符号化される場合には、値Ｄ１を符号化するために４ビットのみを使用しても良い。補正情報ＳｅｌＢは、符号ビットと値Ｃ２が±３以内に補正されねばならないかを示す、２つの重要なビットを含む。
【００８７】
第４の計算回路３０９はＣ２を計算する。アルゴリズムに記載されたのと逆に、計算速度の理由から、訂正されるのはＣ１ではなくＣ２である。第４の計算回路３０９は、図１５に更に詳細に説明される。
【００８８】
第４の計算回路３０９は、値Ｃ１とＤを受信し且つ和Ｃ１＋Ｄを送る、第１の加算回路７０１を有する。第１の減算回路７０２は、和Ｃ１＋Ｄから値Ｖ１を減算しそして、中間結果Ｖ１−（Ｃ１＋Ｄ）を送る。第２の加算回路７０３と第２の減算回路７０４は、１つの入力に中間結果をそして、他の入力に補正情報ＳｅｌＢの２つの重要なビット [１：０]を受け、そして、それぞれ加算又は、減算により補正された結果を送る。マルチプレクサ７０５は、補正情報の符号ＳｅｌＢ[２]に従って、補正された結果から値Ｃ２を選択する。
【００８９】
符号化装置３００は、値Ｃ２とＤ２を受信しそして、３つの符号化ワードＳＭ２，Ｓｍ２、及びＣＯＭ２を送る、第２の符号化回路３１０を含む。使用される符号化方法は、第１１ステップ１１５で説明したものに対応する。実際的な理由のために、既に予め計算された結果を有するルックアップテーブルが使用される。ルックアップテーブルは、例えば、３ビットはＳＭ２に対応し，３ビットはＳｍ２に対応し，そして６ビットはＣＯＭ２に対応する、１２ビットワードにより構成されるメモリよりなる。メモリは、８ビットが値Ｃ２そして５ビットが値Ｄ２の、１３アドレスラインを有する。実行される符号化に不要な冗長度を与える値Ｄ２の２つの低重みビットを使用しないように注意する。メモリは、Ｃ２とＤ２により定義されるアドレスで、種々の値Ｃ２とＤ２の構成に従って、得られるべきワードがロードされる。随意に、当業者は、異なって符号化される場合には、値Ｄ２を符号化するために４ビットのみを使用しても良い。
【００９０】
マルチプレクシング回路３１１は、情報ＳｅｌＣに従って、ワードＳＭ１、Ｓｍ１、ＳＭ２及びＳｍ２を、ワードＳ１２、Ｓ２２、Ｓ２１及び、Ｓ１１に対応させる。
【００９１】
符号化装置３００は、そして、図１６に示すように、画像８１０が表示されことを可能とするために、表示パネル８００に統合される。
【００９２】
そのような符号化装置３００は、種々の実施例で製造される。例えば、当業者が、計算時間が短すぎと推定する場合には、例えば、パイプライン構造に適合させることが可能である。このために、メモリレジスタは、例えば、既知の技術を使用する計算を切り詰めるために、図１０の回路間の種々のリンクに加えられる。
【００９３】
例えば、、第１と第２の計算回路３０４と３０５のようなある一定の回路は、ルックアップテーブルと置換される。使用される技術に従って、前記回路を製造するための回路サイズに関して、ルックアップテーブルは大きな又は小さな優位点を有することに、注意すべきである。
【００９４】
他の実施例は、グレーレベルＧＬ１とＧＬ２を直接受信するための、２３ビットワードと１６アドレスラインに構成された単一のルックアップテーブルより構成される。現在では、この実施例の問題は、実時間で十分い高速に動作できる、サイズのメモリの高コストである。
【００９５】
好適な例では、ルックアップテーブルは、処理の単純及びそれゆえに信頼性の理由から符号化及び復号動作を実行するのにも使用される。特にマイクロコントローラ形式の回路によりそのような装置を実行することが選択される場合には、ルックアップは、計算回路と置き換えられるこというまでもない。
【００９６】
更に、一般的には、当業者は、本質的にプロセッサとメモリを含むプログラムされた回路の助けのみで本発明の方法を実行することで満足し得る。このように製造された装置は、示された装置から完全に異なる構造を有する。
【００９７】
本発明の説明では、７つの第１のサブスキャンと９つの第２のサブスキャンを使用する符号化が参照される。これらの符号化は良好な結果が得られることを可能とするように本発明のに対して選択された。他の形式の符号化は、明確のために説明中で参照されなかったが、第１と第２のサブスキャンの数と前記サブスキャンに関連する照明重みから独立して、他の形式の符号化も同様な方法を使用されうることは明らかである。
【図面の簡単な説明】
【図１】  従来技術に従った画像を表示している間のサブスキャン時間分割を示す図である。
【図２】  従来技術に従った画像を表示している間のサブスキャン時間分割を示す図である。
【図３】  従来技術に従った画像を表示している間のサブスキャン時間分割を示す図である。
【図４】  従来技術に従った画像を表示している間のサブスキャン時間分割を示す図である。
【図５】  本発明に従って画像を表示している間のサブスキャン時間分割を示す図である。
【図６】  本発明に従って画像を表示している間のサブスキャン時間分割を示す図である。
【図７】  本発明に従ったグレーレベル符号化アルゴリズムを示す図である。
【図８】  本発明に従ったグレーレベル符号化アルゴリズムを示す図である。
【図９】  本発明に従ったグレーレベル符号化アルゴリズムを示す図である。
【図１０】  本発明に従った符号化アルゴリズムを使用する処理回路を示す図である。
【図１１】  図１０の回路の詳細を示す図である。
【図１２】  図１０の回路の詳細を示す図である。
【図１３】  図１０の回路の詳細を示す図である。
【図１４】  図１０の回路の詳細を示す図である。
【図１５】  図１０の回路の詳細を示す図である。
【図１６】  本発明に従った実行するプラズマディスプレイパネルを示す図である。
【図１】
0004719395.tif 000009
【図２】
0004719395.tif 000010
【図３】
0004719395.tif 000011
【図４】
0004719395.tif 000012
【図５】
0004719395.tif 000013
【図６】
0004719395.tif 000014
【図７】
0004719395.tif 000015
【図８】
0004719395.tif 000016
【図９】
0004719395.tif 000017
【図１０】
0004719395.tif 000018
【図１１】
0004719395.tif 000019
【図１２】
0004719395.tif 000020
【図１３】
0004719395.tif 000021
【図１４】
0004719395.tif 000022
【図１５】
0004719395.tif 000023
【図１６】
0004719395.tif 000024